(57)【特許請求の範囲】
【請求項１】
画像出力装置から出力される任意の画像を視聴するユーザの体の少なくとも２つの部分と接触する少なくとも２つの接触センサーを通じて皮膚伝導度の測定のための電位値を出力する測定部と、
前記ユーザの目を撮影して、目の動きの測定のための撮影データを出力する撮影部と、
前記ユーザの体の２つの部分で測定された電位値の差異を通じて皮膚伝導度の測定値を計算し、且つ、前記撮影データの分析を通じて前記ユーザの瞬きに対応する瞬き測定値、前記ユーザの瞳孔の大きさに対応する瞳孔大きさの測定値、及び前記ユーザの目の視線に対応する視線位置測定値を抽出し、前記皮膚伝導度の測定値が皮膚伝導度の基準範囲を外れていると同時に前記瞬き測定値、前記瞳孔大きさの測定値、及び前記視線位置測定値が目の動きの基準範囲を外れている場合、集中誘導制御信号を出力するデータ処理部と、
前記集中誘導制御信号に従って集中誘導メッセージを出力する画像集中誘導部と、
を含み、
前記データ処理部は、前記撮影データの出力以前に前記撮影部から出力された基準撮影データを分析して前記ユーザの瞬きに対応する瞬き測定値、前記ユーザの瞳孔の大きさに対応する瞳孔大きさの測定値、及び前記ユーザの目の視線に対応する視線位置測定値の基準測定値を抽出し、前記ユーザの瞬きに対応する瞬き測定値、前記ユーザの瞳孔の大きさに対応する瞳孔大きさの測定値、及び前記ユーザの目の視線に対応する視線位置定値の基準測定値を用いて前記目の動きの基準範囲を決定することを特徴とする画像集中誘導装置。
【請求項２】
データ処理部は、前記測定部から前記電位値が出力される以前に前記測定部から出力された基準出力データから皮膚伝導度の基準測定値を抽出し、前記皮膚伝導度の基準測定値を用いて前記皮膚伝導度の基準範囲を決定することを特徴とする請求項１に記載の画像集中誘導装置。
【請求項３】
前記電位値の出力以前には、前記画像が出力される直前に対応する出力直前時間、及び前記画像が出力された直後に対応する出力直後時間のうち少なくとも一つが含まれることを特徴とする請求項２に記載の画像集中誘導装置。
【請求項４】
前記画像集中誘導部は、前記集中誘導制御信号に含まれた画像制御信号に従って、集中誘導画像を出力する画像出力部を含むことを特徴とする請求項１に記載の画像集中誘導装置。
【請求項５】
前記接触センサーは、前記画像出力装置の画像を表示する前面の端と、前記前面の端に対応する後面の一部分にそれぞれ取り付けられていることを特徴とする請求項１に記載の画像集中誘導装置。
【請求項６】
前記撮影部は、前記画像出力装置に具備されていることを特徴とする請求項１に記載の画像集中誘導装置。
【請求項７】
前記画像出力装置に具備され、前記撮影部で撮影可能であるように光を照射する光出射部をさらに含むことを特徴とする請求項６に記載の画像集中誘導装置。
【請求項８】
前記光出射部は、赤外線を出射させる赤外線出力ユニットを含むことを特徴とする請求項７に記載の画像集中誘導装置。
【請求項９】
画像出力装置から出力される任意の画像を視聴するユーザの体の少なくとも２つの部分と接触する少なくとも２つの接触センサーを通じて、皮膚伝導度の測定のための電位値を測定部からデータ処理部に出力し、
前記ユーザの目を撮影する撮影部によって、目の動きの測定のための撮影データを前記データ処理部に出力し、
前記データ処理部によって前記ユーザの体の２つの部分で測定された電位値の差異を通じて皮膚伝導度の測定値を計算し、
前記データ処理部によって前記撮影データを分析して前記ユーザの瞬きに対応する瞬き測定値、前記ユーザの瞳孔の大きさに対応する瞳孔大きさの測定値、及び前記ユーザの目の視線に対応する視線位置測定値を抽出し、
前記皮膚伝導度の測定値が皮膚伝導度の基準範囲を外れていると同時に、前記瞬き測定値、前記瞳孔大きさの測定値、及び前記視線位置測定値が目の動きの基準範囲を外れている場合、画像集中誘導部から前記ユーザに対する集中誘導メッセージを出力すること、
を含み、
前記データ処理部は、前記撮影データの出力以前に前記撮影部から出力された基準撮影データを分析して前記ユーザの瞬きに対応する瞬き測定値、前記ユーザの瞳孔の大きさに対応する瞳孔大きさの測定値、及び前記ユーザの目の視線に対応する視線位置測定値の基準測定値を抽出し、前記ユーザの瞬きに対応する瞬き測定値、前記ユーザの瞳孔の大きさに対応する瞳孔大きさの測定値、及び前記ユーザの目の視線に対応する視線位置定値の基準測定値を用いて前記目の動きの基準範囲を決定することを特徴とする画像集中誘導方法。
【請求項１０】
前記皮膚伝導度の基準範囲を前記データ処理部によって決定すること、及び
前記目の動きの基準範囲を前記データ処理部によって決定すること、をさらに含むことを特徴とする請求項９に記載の画像集中誘導方法。
【請求項１１】
前記皮膚伝導度の基準範囲を決定することは、
前記電位値の出力以前に、前記測定部から基準出力データを出力し、
前記データ処理部によって前記基準出力データから皮膚伝導度の基準測定値を抽出し、
前記データ処理部によって前記皮膚伝導度の基準測定値を用いて前記皮膚伝導度の基準範囲を決定すること、を含むことを特徴とする請求項１０に記載の画像集中誘導方法。
【請求項１２】
前記画像が停止された後、前記測定部から前記データ処理部に再測定データを出力し、
前記画像が停止された後、前記撮影部から前記データ処理部に再撮影データを出力し、
前記データ処理部によって前記再測定データから皮膚伝導度の再測定値を抽出し、
前記データ処理部によって前記再撮影データを分析して目の動き再測定値を抽出し、
前記皮膚伝導度の再測定値が前記皮膚伝導度の基準範囲内に含まれるか、前記目の動き再測定値が前記目の動きの基準範囲内に含まれる場合、前記画像出力装置で前記画像を再び再生させること、をさらに含むことを特徴とする請求項９に記載の画像集中誘導方法。
【発明の詳細な説明】
【技術分野】
【０００１】
本発明は画像集中誘導装置及びそれを用いた画像集中誘導方法に関わり、より詳細にはオンライン講義及び動画像講義などの学習者の集中力を高めることのできる画像集中誘導装置及びそれを用いた画像集中誘導方法に関する。
【背景技術】
【０００２】
インターネットの発展によりデータの伝送速度が増加されることによって、大勢の人がコンピュータやモバイル端末機でどこででも高容量の動画像を視聴できるようになった。特に、直接学校などに行かずに学習を所望する多様な学習需要者は、時間とお金を節約しながら所望する講義画像をどこででも視聴できる機会を有するようになった。即ち、動画像講義を実行することのできる端末機を所持した学習者は、所望する時点にインターネットを通じて実時間で講義の伝送を受けて視聴するか、端末機内に保存されている動画像講義を視聴することができる。
【０００３】
しかし、一般的な動画像講義の場合、講師が一方的に学習者に講義を提供するため、学習者に適切なフィードバックを提供することが容易ではない。それによって、学習者の講義への集中力が低下して効果的な学習効果を上げることが難しい。従って、効果的な学習のために学習者に学習者の集中状態による適切なフィードバックが提供されることが必要である。
【０００４】
一方、学習者からの適切なフィードバックを得るために脳波を測定する方法が提示されている。しかし、このような脳波測定を通じたフィードバック方法は脳波測定装置が複雑で装着しにくく、正確な脳波を測定するために外部ノイズを遮断するために特定の遮蔽空間で行われなければならないので、学習者のアクセスが落ちるという短所を有している。
【発明の概要】
【発明が解決しようとする課題】
【０００５】
従って、本発明はこのような問題点を解決するためのものであって、本発明の解決しようとする課題は、画像を視聴するユーザに容易に適用して画像への集中度を高めることのできる画像集中誘導装置を提供することにある。
【０００６】
また、本発明の解決しようとする他の課題は、前記画像集中誘導装置を用いた画像集中誘導方法を提供することにある。
【課題を解決するための手段】
【０００７】
本発明の一実施例による画像集中誘導装置は測定部、撮影部、データ処理部及び画像集中誘導部を含む。
【０００８】
前記測定部は画像出力装置から出力される任意の画像を視聴するユーザの体に接触して皮膚伝導度の測定のための測定データを出力する。前記撮影部は前記ユーザの目を撮影して、目の動きの測定のための撮影データを出力する。前記データ処理部は前記測定データから皮膚伝導度の測定値を抽出し、前記撮影データの分析を通じて目の動き測定値を抽出し、前記皮膚伝導度の測定値が皮膚伝導度の基準範囲を外れていると同時に、前記目の動き測定値が目の動きの基準範囲を外れている場合、集中誘導制御信号を出力する。前記画像集中誘導部は前記集中誘導制御信号に従って集中誘導メッセージを出力する。
【０００９】
前記データ処理部は、前記測定データの出力以前に前記測定部から出力された基準出力データから皮膚伝導度の基準測定値を抽出し、前記皮膚伝導度の基準測定値を用いて前記皮膚伝導度の基準範囲を決定することができる。この際、前記測定データの出力以前には、前記画像が出力される直前に対応する出力直前時間、及び前記画像が出力された直後に対応する出力直後時間のうち少なくとも一つが含まれてもよい。
【００１０】
また、前記データ処理部は、前記撮影データの出力以前に前記撮影部から出力された基準撮影データを分析して前記目の動きの基準測定値を抽出し、前記目の動きの基準測定値を用いて前記目の動きの基準範囲を決定することができる。この際、前記撮影データの出力以前には、前記画像が出力される直前に対応する出力直前時間、及び前記画像が出力された直後に対応する出力直後時間のうち少なくとも一つが含まれてもよい。
【００１１】
前記目の動き測定値は、前記ユーザの瞬きに対応する瞬き測定値、前記ユーザの瞳孔の大きさに対応する瞳孔大きさの測定値、及び前記ユーザの目の視線に対応する視線位置測定値のうち少なくとも一つを含んでいてもよい。また、前記目の動きの基準範囲は、前記瞬き測定値の比較基準となる瞬き基準範囲、前記瞳孔大きさ測定値の比較基準となる瞳孔大きさ基準範囲、及び前記視線位置測定値の比較基準となる視線基準範囲のうち少なくとも一つを含んでいてもよい。
【００１２】
前記画像集中誘導部は、前記集中誘導制御信号に含まれた画像制御信号に従って、集中誘導画像を出力する画像出力部を含んでいてもよい。
【００１３】
また、前記画像集中誘導部は前記集中誘導制御信号に含まれた振動制御信号に従って、振動を発生させる振動発生部をさらに含んでいてもよい。
【００１４】
前記測定部は、前記ユーザの体の少なくとも２つの部分と接触する少なくとも２つの接触センサーを通じて前記測定データを出力してもよい。この際、前記測定データは、前記接触センサーで測定された電位値を含み、前記データ処理部は、前記電位値を用いて前記皮膚伝導度の測定値を計算することができる。
【００１５】
前記接触センサーは前記画像出力装置の一面の端に取り付けられてもよい。
【００１６】
または、前記接触センサーは、前記画像出力装置の画像を表示する前面の端と、前記前面の端に対応する後面の一部分にそれぞれ取り付けられてもよい。
【００１７】
または、前記接触センサーは前記画像出力装置と別途に具備されれる補助装置に取り付けられてもよい。この際、前記補助装置はペン、時計、マウス、眼鏡、イヤホーン、ヘッドホーンのうち少なくとも一つを含んでいてもよい。
【００１８】
または、前記接触センサーは結合手段を通じて前記ユーザの体の一部に直接装着されてもよい。この際、前記接触センサーが直接装着される体の一部は、手の指、手のひら、足指、足裏のうち少なくとも一つを含んでいてもよい。
【００１９】
前記撮影部は、前記画像出力装置に具備されていてもよい。
【００２０】
前記画像集中誘導装置は前記画像出力装置に具備され、前記撮影部で撮影が可能であるように光を照射する光出射部をさらに含んでいてもよい。この際、前記光出射部は赤外線を出射させる赤外線出力ユニットを含んでいてもよい。
【００２１】
続いて、本発明の一実施形態による画像集中誘導方法は画像出力装置から出力される任意の画像を視聴するユーザの体に接触された測定部によって、皮膚伝導度の測定のための測定データを出力し、前記ユーザの目を撮影する撮影部によって、目の動きの測定のための撮影データを出力し、前記測定データから皮膚伝導度の測定値を抽出し、前記撮影データを分析して目の動き測定値を抽出し、前記皮膚伝導度の測定値が皮膚伝導度の基準範囲を外れていると同時に、前記目の動き測定値が目の動きの基準範囲を外れている場合、集中誘導メッセージを出力すること、を含む。
【００２２】
前記画像集中誘導方法は、前記皮膚伝導度の基準範囲を決定すること、及び前記目の動きの基準範囲を決定すること、をさらに含んでいてもよい。
【００２３】
前記皮膚伝導度の基準範囲を決定することは、前記測定データの出力以前に、前記測定部から基準出力データを出力し、前記基準出力データから皮膚伝導度基準測定値を抽出し、前記皮膚伝導度の基準測定値を用いて前記皮膚伝導度の基準範囲を決定すること、を含んでいてもよい。
【００２４】
前記目の動きの基準範囲を決定することは、前記撮影データの出力以前に、前記撮影部で基準撮影データを出力し、前記基準撮影データを分析して目の動きの基準測定値を抽出し、前記目の動きの基準測定値を用いて前記目の動きの基準範囲を決定すること、を含んでいてもよい。
【００２５】
前記集中誘導メッセージを出力することにおいては、前記皮膚伝導度の測定値が前記皮膚伝導度の基準範囲を外れていると同時に、前記目の動き測定値が前記目の動きの基準範囲を外れている場合、前記画像出力装置で前記画像を停止させ集中誘導画像を出力することができる。
【００２６】
前記画像集中誘導方法は前記画像が停止された後、前記測定部から再測定データを出力し、前記画像が停止された後、前記撮影部から再撮影データを出力し、前記再測定データから皮膚伝導度の再測定値を抽出し、前記再撮影データを分析して目の動き再測定値を抽出し、前記皮膚伝導度の再測定値が前記皮膚伝導度の基準範囲内に含まれるか、前記目の動き再測定値が前記目の動きの基準範囲内に含まれる場合、前記画像出力装置で前記画像を再び再生させること、をさらに含んでいてもよい。
【発明の効果】
【００２７】
このように本発明による画像集中誘導装置及びそれを用いた画像集中誘導方法によると、測定部から提供された測定データ及び撮影部から提供された撮影データを全部用いることで、画像撮影装置から出力されている画像を視聴するユーザの画像集中程度をより精密に測定することができる。
【００２８】
また、前記ユーザの画像集中程度が低下されたと判断されると、出力されている画像を停止させ集中誘導画像を出力することで、前記ユーザを再度画像に集中させるように自然に誘導することができる。
【図面の簡単な説明】
【００２９】
【図１】本発明の一実施形態による画像集中誘導装置を説明するためのブロック図である。
【図２】図１の画像集中誘導装置を具備した画像出力装置の一例を示した図面である。
【図３】図１の画像集中誘導装置を具備した画像出力装置の他の例を示した図面である。
【図４】図１の画像集中誘導装置を具備した画像出力装置のさらに他の例を示した図面である。
【図５】図１の画像集中誘導装置を具備した画像出力装置のさらに他の例を示した図面である。
【図６】図１の画像集中誘導装置を用いた画像集中誘導方法を説明するためのフロー図である。
【図７】図６の皮膚伝導度の基準範囲決定過程を説明するためのフロー図である。
【図８】図６の目の動きの基準範囲決定過程を説明するためのフロー図である。
【発明を実施するための形態】
【００３０】
本発明は多様な変更を加えることができ、多様な形態を有することできる。ここでは、特定の実施形態を図面に例示し本文に詳細に説明する。
【００３１】
しかし、これは本発明を特定の開示形態に限定するものではなく、本発明の思想及び技術範囲に含まれる全ての変更、均等物乃至代替物を含むこととして理解されるべきである。第１、第２などの用語は多用な構成要素を説明するのに使用されることがあるが、前記構成要素は前記用語によって限定解釈されない。前記用語は一つの構成要素を他の構成要素から区別する目的のみとして使用される。例えば、本発明の権利範囲を外れることなく第１構成要素を第２構成要素ということができ、同様に第２構成要素も第１構成要素ということができる。
【００３２】
本出願において使用した用語は単なる特定の実施形態を説明するために使用されたもので、本発明を限定しようとする意図ではない。単数の表現は文脈上明白に示さない限り、複数の表現を含む。本出願において、「含む」または「有する」などの用語は明細書に記載された特徴、数字、ステップ、段階、動作、構成要素、部品またはこれらを組み合わせたものが存在することを意味し、一つまたはそれ以上の他の特徴や数字、ステップ、段階、動作、構成要素、部品またはこれらを組み合わせたものの存在または付加可能性を予め排除しないこととして理解されるべきである。
【００３３】
以下、図面を参照して本発明の好適な一実施形態をより詳細に説明する。
【００３４】
図１は本発明の一実施形態による画像集中誘導装置を説明するためのブロック図であり、図２は図１の画像集中誘導装置を具備した画像出力装置の一例を示した図面である。
【００３５】
図１及び図２を参照すると、本実施形態による画像集中誘導装置は、画像を出力する画像出力装置１０に装着されて、前記画像を視聴するユーザの画像に対する集中度を高めるための装置である。
【００３６】
本実施形態において、画像は複数のイメージの結合体である単純画像のみを意味していてもよく、単純画像にオーディオが含まれていてもよい。従って、画像出力装置１０は、単純画像のみを表示するディスプレイ装置であってもよく、単純画像と音響を共に出力するマルチメディア装置であってもよい。例えば、画像出力装置１０はスマートホン、タブレットＰＣなどのようなモバイル端末機や、ＰＣと連結されたモニター、ノートブックなどのコンピュータシステムであるか、動画像講義を学習するための学習機であってもよい。
【００３７】
画像集中誘導装置は測定部１００、撮影部２００、光出射部３００、データ処理部４００、及び画像集中誘導部５００を含む。
【００３８】
測定部１００は画像出力装置１０から出力される任意の画像を視聴するユーザの体に接触して皮膚伝導度の測定のための測定データを出力する。ここで、前記測定部１００は前記画像出力装置１０に具備されてもよく、これと分離された状態で配置されてもよい。
【００３９】
本実施形態において、測定部１００は、ユーザの体の少なくとも２つの部分と接触する少なくとも２つの接触センサー１１０を通じて測定データを出力することができる。
【００４０】
測定データは接触センサー１１０で測定された電位値を含んでいてもよい。即ち、接触センサー１１０それぞれはユーザの体の接触部分での電位値を測定してデータ処理部４００に伝送し、以後、データ処理部４００はこの電位値を用いた計算過程を通じて皮膚伝導度の測定値を計算することができる。
【００４１】
これとは異なり、測定データはデータ処理部４００で別途の計算過程なしに直接使用できる皮膚伝導度の測定値を含んでいてもよい。具体的に説明すると、測定部１００は、接触センサー１１０から電位値の提供を受けて皮膚伝導度の測定値を計算してデータ処理部４００に伝送する皮膚伝導度計算部（図示せず）をさらに含んでいてもよい。皮膚伝導度計算部は、画像出力装置１０に具備されてもよく、これとは分離された状態で外部に配置されてもよい。
【００４２】
本実施形態において、接触センサー１１０は画像出力装置１０の一面の端の一側または両側に取り付けられてもよい。例えば、接触センサーは図２のように、画像の表示されない画像出力装置１０の後面の端と互いに向き合う両側にそれぞれ２つずつ取り付けられされてもよい。このように、接触センサー１１０が画像出力装置１０の後面に取り付けられることによって、ユーザは手を通じて画像出力装置１０を掴んで画像を視聴する時、２つの指が画像出力装置１０の後面に配置された接触センサー１１０に容易に接触させることができる。
【００４３】
これとは異なり、接触センサー１１０は、画像出力装置１０の画像を表示する前面の端の一側または両側に取り付けられていてもよい。これにより、ユーザは机の上や据置台に配置された画像出力装置１０を通じて視聴する時、体の２つの部分、例えば、２つの指を接触センサー１１０に容易に接触させることができる。ここで、前面の端は画像出力装置１０のベゼル（ｂｅｚｅｌ）部分を意味する。
【００４４】
撮影部２００はユーザの目を撮影して、目の動きを測定するための撮影データを出力する。即ち、撮影部２００はユーザの目を撮影することのできるカメラを含んでいてもよい。ここで、撮影部２００は画像出力装置１０に具備されてもよく、これとは分離された状態で配置されてもよい。
【００４５】
例えば、撮影部２００は図２のように、画像出力装置１０の前面の端に設置されてもよい。その結果、撮影部２００は画像出力装置１０から出力する画像を視聴するユーザの目を容易に撮影することができる。
【００４６】
光出射部３００は撮影部２００と対応するように画像出力装置１０に装着され、撮影部２００で撮影可能であるように光を照射する。例えば、光出射部３００は図２のように、画像出力装置１０の前面の端に撮影部２００と隣り合って配置されてもよい。
【００４７】
本実施形態において、光出射部３００は赤外線を出射させる赤外線出力ユニットを含んでいてもよい。また、撮影部２００も赤外線を撮影できる赤外線カメラを含むか、赤外線を含んだ光を撮影することのできる多機能カメラを含んでいてもよい。
【００４８】
このように、光出射部３００から赤外線を出射させ、撮影部２００で赤外線を撮影することで、ユーザは光出射部３００から出射される光によって目が眩むことを最小化した状態で自然に撮影部２００によって撮影できる。
【００４９】
データ処理部４００は測定部１００及び撮影部２００と電気的に接続され、測定部１００から測定データの提供を受け、撮影部２００から撮影データの提供を受ける。ここで、データ処理部４００は測定部１００及び撮影部２００それぞれと信号線を通じて直接接続されてもよいが、無線送受信装置を通じて無線で接続されて信号を取り交わしてもよい。
【００５０】
データ処理部４００は、測定部１００から提供された測定データから皮膚伝導度の測定値を抽出することができる。ここで、“測定データから皮膚伝導度の測定値を抽出する”というのは“測定データを用いた計算過程を通じて皮膚伝導度の測定値を計算して抽出する”という第１の意味と、“皮膚伝導度の測定値を含む測定データから直接抽出する”という第２の意味を含んでいてもよい。
【００５１】
まず、第１の意味で解釈すると、データ処理部４００は、接触センサー１１０から提供された電位値を用いて皮膚伝導度の測定値を計算して抽出することができる。例えば、データ処理部４００はユーザの体の２つの部分で測定された電位値の差異を通じて皮膚伝導度の測定値を計算することができる。
【００５２】
続いて、第２意味で解釈すると、測定データに皮膚伝導度の測定値が含まれている場合、データ処理部４００は測定データに含まれた皮膚伝導度の測定値を別途の計算過程なしにそのまま提供を受けて使用することもできる。ここで、“測定データに皮膚伝導度の測定値が含まれている”というのは“測定データに皮膚伝導度の測定値以外の他のデータがさらに含まれている”という場合と“測定データが皮膚伝導度の測定値と同一の対象である”という場合とを含む意味であってもよい。
【００５３】
データ処理部４００は、撮影部２００から提供された撮影データを分析して目の動き測定値を抽出することができる。即ち、撮影データはユーザの目を撮影した単純画像データであるので、撮影データからユーザの目の動きに対する情報のみを抽出する過程が必要である。
【００５４】
本実施形態において、目の動き測定値はユーザの瞬きに対応する瞬き測定値、ユーザの瞳孔の大きさに対応する瞳孔大きさの測定値、及びユーザの目の視線に対応する視線位置測定値のうち少なくとも一つを含んでいてもよい。即ち、データ処理部４００は、撮影データからユーザの瞬き、瞳孔の大きさ及び視線位置のうち少なくとも一つに対する情報を抽出することができる。
【００５５】
データ処理部４００は、皮膚伝導度の測定値が皮膚伝導度の基準範囲を外れているか否かを判断し、目の動き測定値が目の動きの基準範囲を外れているか否かを判断し、２つの判断で全部の基準範囲を外れていると判断されると、集中誘導制御信号を出力する。ここで、皮膚伝導度の基準範囲はユーザの安定状態での皮膚伝導度範囲を意味し、目の動きの基準範囲はユーザの安定状態での目の動き範囲を意味する。また、ユーザの安定状態は画像を視聴するにおいて、集中の程度が基準値以下に低下されない範囲を意味する。
【００５６】
本実施形態において、目の動きの基準範囲は瞬き測定値の比較基準となる瞬き基準範囲、瞳孔の大きさ測定値の比較基準となる瞳孔の大きさ基準範囲、及び視線位置測定値の比較基準となる視線基準範囲のうち少なくとも一つを含んでいてもよい。従って、目の動き測定値が目の動きの基準範囲を外れているか否かの判断は、瞬き測定値が瞬き基準範囲を外れているか否か、瞳孔の大きさ測定値が瞳孔の大きさ基準範囲を外れているか否か、及び視線位置測定値が視線基準範囲を外れているか否かの判定のうち少なくとも一つを用いて決定することができる。
【００５７】
データ処理部４００は、測定データの出力以前に測定部１００から出力された基準出力データから皮膚伝導度の基準測定値を抽出し、皮膚伝導度の基準測定値を用いて皮膚伝導度の基準範囲を決定することができる。この際、測定データの出力以前という時間範囲には、ユーザが安定状態にあると仮定される時間が含まれる。例えば、画像が出力される直前に対応する出力直前時間、及び画像が出力された直後と対応する出力直後時間のうち少なくとも一つが含まれてもよい。
【００５８】
データ処理部４００は、撮影データの出力以前に撮影部２００から出力された基準撮影データを分析して目の動きの基準測定値を抽出し、目の動きの基準測定値を用いて目の動きの基準範囲を決定することができる。この際、撮影データの出力以前という時間範囲には、ユーザが安定状態にあると仮定される時間が含まれる。例えば、画像が出力される直前と対応する出力直前時間、及び画像が出力された直後と対応する出力直後時間のうち少なくとも一つが含まれてもよい。
【００５９】
このように、データ処理部４００が測定データの出力以前に測定された皮膚伝導度の基準測定値を用いて皮膚伝導度の基準範囲を決定し、撮影データの出力以前に測定された目の動きの基準測定値を用いて目の動きの基準範囲を決定することによって、ユーザの個人特定による基準範囲が決定されてもよい。即ち、ユーザ毎に安定状態に対する特性が互いに相違することがあり得るので、このような特性を考慮して個人毎に互いに異なる基準範囲を決定して使用することができる。
【００６０】
一方、皮膚伝導度の基準範囲及び目の動きの基準範囲は測定部１００及び撮影部２００で測定された値を通じて決定されるのではなく、データ処理部４００内に予め保存されているデータ、例えば、以前に使用されていた基準範囲データから抽出されて決定されてもよい。この際、予め保存されているデータは複数のユーザ別に基準範囲が保存されていてもよい。
【００６１】
また、データ処理部４００は画像出力装置１０内に具備されて画像を制御するプロセッサであってもよく、画像出力装置１０と別途に具備されたプロセッサであってもよい。また、データ処理部４００は、光出射部３００と電気的に接続されて光出射部３００を制御する機能も実行することができる。
【００６２】
画像集中誘導部５００はデータ処理部４００から提供された集中誘導制御信号に従って制御されて外部に集中誘導メッセージを出力する。この際、画像集中誘導部５００は、データ処理部４００と信号線と通じて直接接続されてもよいが、無線送受信装置を通じて信号を取り交わしてもよい。
【００６３】
画像集中誘導部５００は、集中誘導制御信号に含まれた画像制御信号に従って制御され、集中誘導画像を出力する画像出力部５１０を含んでいてもよい。この際、集中誘導画像にはユーザの現在状態を知らせるメッセージ、ユーザの注意を喚起して画像への集中を誘導することのできる画像や音などが含まれてもよい。
【００６４】
本実施形態において、画像出力部５１０は、画像出力装置１０内に具備されて画像を出力する画像出力手段であってよい。このように、画像出力部５１０が画像出力装置１０の画像出力手段であるとき、画像出力部５１０は既存の出力されている画像を停止させ、前記集中誘導画像を出力することができる。一方、画像出力部５１０は、画像出力装置１０の画像出力手段とは異なり、別途具備された装置であってもよい。
【００６５】
画像集中誘導部５００は、集中誘導制御信号に含まれた振動制御信号に従って制御され、振動を発生させる振動発生部５２０をさらに含んでいてもよい。
【００６６】
振動発生部５２０は、画像出力装置１０内に具備されて、ユーザに振動を提供してもよく、画像出力装置１０と別途に配置されてもよい。例えば、振動発生部５２０はユーザの体に装着されるか、ユーザの隣接位置に配置されて、ユーザに振動を提供することもできる。
【００６７】
このように、画像集中誘導部５００が集中誘導画像と共に振動発生部５２０による振動をユーザに提供し、ユーザの画像集中をより容易に誘導することができる。
【００６８】
以下、接触センサー１１０の取り付け位置による多様な実施形態を説明する。
【００６９】
図３は図１の画像集中誘導装置を具備した画像出力装置の他の例を示した図面である。
【００７０】
図３を参照すると、接触センサー１１０は画像出力装置１０の前面の端と、前面の端に対応される後面の一部分にそれぞれ取り付けられていてもよい。これにより、ユーザが画像出力装置１０を指を通じて掴んだ状態で自然に皮膚伝導度の測定を実行することができる。
【００７１】
図４は図１の画像集中誘導装置を具備した画像出力装置のさらに他の例を示した図面である。
【００７２】
図４を参照すると、接触センサー１１０は画像出力装置１０と別途に具備される補助装置６００に取り付けられていてもよい。この際、補助装置６００はユーザの体に装着して使用できる手段として、ペン、時計、マウス、眼鏡、イヤホーンのうち少なくとも一つを含んでいてもよい。図４においては補助装置６００の一例として、ペンを示した。
【００７３】
図５は図１の画像集中誘導装置を具備した画像出力装置のさらに他の例を示した図面である。
【００７４】
図５を参照すると、接触センサー１１０は結合手段、例えば、接着テープ、ベンド、指ぬき、やっとこなどを通じてユーザの体の一部に直接取り付けられてもよい。この際、接触センサー１１０が直接取り付けられる体の一部は指、手のひら、足指、足裏のうち少なくとも一つを含んでいてもよい。図５においては取り付け位置の一例として、指を示した。
【００７５】
このように、ユーザは、補助装置６００または結合手段を通じて自然に皮膚伝導度の測定を実行することができる。
【００７６】
以上では、ユーザの画像への集中程度を判定するために、皮膚伝導度の測定値及び目の動き測定値の両方をそれぞれの基準範囲から外れているか否かを判断した例を説明したが、本発明はこれに限定されず、皮膚伝導度の測定値及び目の動き測定値のいずれか一つが、皮膚伝導度の測定値が皮膚伝導度の基準範囲を外れている場合、データ処理部４００は集中誘導制御信号を出力してもよい。
【００７７】
以下、前述した画像集中誘導装置を用いた画像集中誘導方法を説明する。
【００７８】
図６は図１の画像集中誘導装置を用いた画像集中誘導方法を説明するためのフロー図であり、図７は図６の皮膚伝導度の基準範囲の決定過程を説明するためのフロー図であり、図８は図６の目の動きの基準範囲の決定過程を説明するためのフロー図である。
【００７９】
図６、図７及び図８を参照すると、本実施形態による画像集中誘導方法において、まず、皮膚伝導度の基準範囲を決定し（Ｓ１０）、目の動きの基準範囲を決定する（Ｓ２０）。この際、ステップＳ１０及びステップＳ２０は互いに独立的に実行されてもよい。
【００８０】
皮膚伝導度の基準範囲の決定（Ｓ１０）において、測定部１００で、測定データの出力以前に基準出力データを出力する（Ｓ１２）。この後、データ処理部４００で、基準出力データから皮膚伝導度基準測定値を抽出する（Ｓ１４）。この後、データ処理部４００で、皮膚伝導度の基準測定値を用いて皮膚伝導度の基準範囲を決定する（Ｓ１６）。
【００８１】
また、目の動きの基準範囲の決定（Ｓ２０）において、撮影部２００で、撮影データの出力以前に基準撮影データを出力する（Ｓ２２）。この後、データ処理部４００で、基準撮影データを分析して目の動きの基準測定値を抽出する（Ｓ２４）。この後、データ処理部４００で、目の動きの基準測定値を用いて目の動きの基準範囲を決定する（Ｓ２６）。
【００８２】
続いて、測定部１００で測定データを出力し（Ｓ３０）、撮影部２００で撮影データを出力する（Ｓ４０）。この際、ステップＳ３０及びステップＳ４０は互いに独立的に実行されてもよい。
【００８３】
続いて、データ処理部４００で、測定データから皮膚伝導度の測定値（Ａ１）を抽出し（Ｓ５０）、撮影データを分析して目の動き測定値（Ｂ１）を抽出する（Ｓ６０）。この際、ステップＳ５０及びステップＳ６０は互いに独立的に実行されてもよい。
【００８４】
続いて、データ処理部４００で、皮膚伝導度の測定値Ａ１が皮膚伝導度の基準範囲内にあるか、目の動き測定値Ｂ１が目の動きの基準範囲内にあるかを判断する（Ｓ７０）。
【００８５】
ステップＳ７０の判断の結果、皮膚伝導度の測定値Ａ１が皮膚伝導度の基準範囲を外れており同時に、目の動き測定値Ｂ１が目の動きの基準範囲を外れていると判断されると、画像集中誘導部５００が集中誘導メッセージを出力する（Ｓ８０）。例えば、ステップＳ８０においては、画像出力装置１０で、ユーザに出力している画像を停止させ、集中誘導画像を出力させてもよい。また、振動発生部５２０からユーザに振動を提供してもよい。
【００８６】
一方、ステップＳ７０での判断結果、皮膚伝導度の測定値Ａ１が皮膚伝導度の基準範囲内にあるか、目の動き測定値Ｂ１が目の動きの基準範囲内にあると判断されると、画像出力装置１０を通じて画像を継続して出力させる（Ｓ９０）。一方、ステップＳ９０の後には、ステップＳ３０及びステップＳ４０の以降の過程を繰り返し実行してもよい。
【００８７】
続いて、ステップＳ８０以後、即ち、画像が停止された後には、測定部１００でユーザの皮膚伝導度の再測定のための再測定データを出力し（Ｓ１００）、撮影部でユーザの目の動きの再測定のための再撮影データを出力する（Ｓ１１０）。この際、ステップＳ１００及びステップＳ１１０は互いに独立的に実行されてもよい。
【００８８】
続いて、データ処理部４００で、再測定データから皮膚伝導度の再測定値Ａ２を抽出し（Ｓ１２０）、再撮影データを分析して目の動き再測定値Ｂ２を抽出する（Ｓ１３０）。この際、ステップＳ１２０及びステップＳ１３０は互いに独立的に実行されてもよい。
【００８９】
続いて、データ処理部４００で、皮膚伝導度の再測定値が皮膚伝導度の基準範囲内にあるか、目の動き再測定値が目の動きの基準範囲内にあるかを判断する（Ｓ１４０）。
【００９０】
ステップＳ１４０の判断の結果、皮膚伝導度の再測定値Ａ２が皮膚伝導度の基準範囲内にあるか、目の動き再測定値Ｂ２が目の動きの基準範囲内にあると判断されると、画像出力装置１０で停止された画像を再度再生させる（Ｓ１５０）。一方、ステップＳ１５０以後には、ステップＳ３０及びステップＳ４０以降の過程を繰り返して実行してもよい。
【００９１】
一方、ステップＳ１４０での判断の結果、皮膚伝導度の再測定値Ａ２が皮膚伝導度の基準範囲を外れており、同時に、目の動き再測定値Ｂ２が目の動きの基準範囲を外れていると判断されると、ステップＳ１００及びステップＳ１１０以降の過程を繰り返して実行する。
【００９２】
このように、集中誘導メッセージを出力させるステップ（Ｓ８０）ぼ後にも、皮膚伝導度の再測定値Ａ２及び目の動き再測定値Ｂ２を継続して測定して、ユーザの画像集中程度を再検証することで、停止された画像を再び再生するか否かを決定することができる。
【００９３】
このように本実施形態によると、測定部１００から提供された測定データ及び撮影部２００から提供された撮影データを全て用いることで、画像撮影装置１０から出力されている画像を視聴するユーザの画像集中程度をより精密に測定することができる。
【００９４】
また、ユーザの画像集中程度が低下されたと判断されると、出力されている画像を停止させ集中誘導画像を出力することで、ユーザを再度画像に集中させるように自然に誘導することができる。
【００９５】
また、測定部１００がユーザが容易に接触できる多様な位置及び手段に配置されることによって、ユーザの画像視聴に妨害を与えない範囲内で自然にユーザの皮膚伝導度の測定を実行することができる。
【００９６】
また、画像を停止させた後にも、皮膚伝導度及び目の動きを再測定してユーザの画像集中情報を再検証することで、ユーザが画像に集中できていると判断される場合に、停止された画像を再び再生し、ユーザに提供することができる。
【００９７】
以上、本発明の実施形態に基づいて詳細に説明したが、本発明はこれに限定されず、本発明が属する技術分野において通常の知識を有する者であれば、本発明の思想と精神を離れることなく、本発明を修正または変更できる。
【符号の説明】
【００９８】
１００：測定部
２００：撮影部
３００：光出射部
４００：データ処理部
５００：画像集中誘導部
５１０：画像出力部
５２０：振動発生部
６００：補助装置
１０：画像出力装置
【図１】
0006336414.tif 000002
【図２】
0006336414.tif 000003
【図３】
0006336414.tif 000004
【図４】
0006336414.tif 000005
【図５】
0006336414.tif 000006
【図６】
0006336414.tif 000007
【図７】
0006336414.tif 000008
【図８】
0006336414.tif 000009